(57)【特許請求の範囲】
【請求項１】
インストルメントパネルの上面に設けられた空気吹出し用の開口に、それぞれが車幅方向両端部の軸ピンを中心にして前後方向で角度調整自在にされた複数のルーバを前後方向に並べて配設し、
該複数のルーバの全部又は一部に組み合わせた操作手段を操作することにより、
ルーバが上向き放射状態となって空気をフロントウインドウパネル側へ向けて拡散状に吹き出すデフモードと、ルーバが斜め後向き平行状態となって空気を後席側へ向けて平行状に吹き出す後席用モードとが得られ、
ルーバが前群と後群に分割され、前群と後群のそれぞれに操作手段を組み合わせ、それぞれの操作手段を操作することにより、前群と後群のいずれか一方をデフモードに、他方を後席用モードにできることを特徴とする車両用風向調整装置。
【請求項２】
請求項１記載の車両用風向調整装置であって、
操作手段が単一の手動操作部を有し、該手動操作部を操作することにより、デフモードと後席用モードが得られることを特徴とする車両用風向調整装置。
【請求項３】
請求項１または２に記載の車両用風向調整装置であって、
前群をデフモードにして、後群を後席用モードにすることができることを特徴とする車両用風向調整装置。
【請求項４】
請求項１または２に記載の車両用風向調整装置であって、
前群と後群のいずれか一方をデフモード又は後席用モードにした際に、他方を遮蔽できることを特徴とする車両用風向調整装置。
【請求項５】
請求項１〜４のいずれか１項に記載の車両用風向調整装置であって、
開口が通気可能なカバーにて覆われ、ルーバが該カバーの内側に設けられていることを特徴とする車両用風向調整装置。
【発明の詳細な説明】
【０００１】
【発明の属する技術分野】
この発明は、空気をインストルメントパネルからフロントウインドウパネル及び後席側へ吹き出すことができる車両用風向調整装置に関するものである。
【０００２】
【従来の技術】
インストルメントパネルの内部には空調装置が設けられ、適温に調整された空気をインストルメントパネルに設けた各種の開口から車室内へ吹き出すようになっている。例えば、空気を前席乗員へ向けて吹き出すベントモード、乗員の足元に向けて吹き出すフットモード、フロントウインドウパネルに向けて吹き出して曇りを解消させるデフモードがある。また、最近では、前席乗員の頭部を越えて、空気を後席乗員まで送る後席用モードもある（類似技術として、特開平１０−２８７１２１号公報参照）。
【０００３】
この後席用モードとして、インストルメントパネルの上部に、前後に回動するノズルが設けられている。このノズルはデフモード兼用で、前向き角度にすることで、空気をフロントウインドウパネル側へ吹き出すデフモードとなり、後向き角度にすることで、空気を後席側へ吹き出す後席用モードとなる。
【０００４】
【発明が解決しようとする課題】
しかしながら、このような従来の技術にあっては、インストルメントパネルの上部にノズルが突出した状態で存在しているため、インストルメントパネルの上部構造が複雑になり、その付近の見映えを低下させている。
【０００５】
この発明は、このような従来の技術に着目してなされたものであり、ノズルを設けずにデフモードと後席用モードが得られる車両用風向調整装置を提供するものである。
【０００６】
【課題を解決するための手段】
請求項１記載の発明は、インストルメントパネルの上面に設けられた空気吹出し用の開口に、それぞれが車幅方向両端部の軸ピンを中心にして前後方向で角度調整自在にされた複数のルーバを前後方向に並べて配設し、該複数のルーバの全部又は一部に組み合わせた操作手段を操作することにより、ルーバが上向き放射状態となって空気をフロントウインドウパネル側へ向けて拡散状に吹き出すデフモードと、ルーバが斜め後向き平行状態となって空気を後席側へ向けて平行状に吹き出す後席用モードとが得られ、ルーバが前群と後群に分割され、前群と後群のそれぞれに操作手段を組み合わせ、それぞれの操作手段を操作することにより、前群と後群のいずれか一方をデフモードに、他方を後席用モードにできることを特徴とする。
【０００７】
請求項１記載の発明によれば、インストルメントパネルの開口に設けられたルーバの角度を変更するだけで、デフモードと後席用モードが得られるため、インストルメントパネルの上部に従来のノズルのような突起物を設ける必要がなく、インストルメントパネル上部付近の見映えが向上する。また、デフモードと後席用モードが同時に得られる。
【０００８】
請求項２記載の発明は、操作手段が単一の手動操作部を有し、該手動操作部を操作することにより、デフモードと後席用モードが得られる。
【０００９】
請求項２記載の発明によれば、単一の手動操作部を操作するだけで、デフモードと後席用モードが得られるため、操作が容易である。
【００１２】
請求項３記載の発明は、前群をデフモードにして、後群を後席用モードにすることができる。
【００１３】
請求項３記載の発明によれば、デフモードにおいてはフロントウインドウパネルに近い方の前群から空気を吹き出すことができ、後席用モードにおいては後席に近い方の後群から空気を吹き出すことができるため、それぞれのモードにおける効果が高まる。
【００１４】
請求項４記載の発明は、前群と後群のいずれか一方をデフモード又は後席用モードにした際に、他方を遮蔽できる。
【００１５】
請求項４記載の発明によれば、前群と後群のいずれか一方をデフモード又は後席用モードにした際に、他方を遮蔽するため、デフモード又は後席用モードにおける空気の勢いが増し、それぞれのモードにおける効果が高まる。
【００１６】
請求項５記載の発明は、開口が通気可能なカバーにて覆われ、ルーバが該カバーの内側に設けられている。
【００１７】
請求項５記載の発明によれば、開口の内部構造（ルーバ）がカバーにより隠されるため、見映えが向上する。
【００１８】
【発明の実施の形態】
以下、この発明の好適な実施形態を図面に基づいて説明する。
【００１９】
図１〜図８は、この発明の第１実施形態を示す図である。図１は、インストルメントパネル１の上部の構造を示す断面図である。インストルメントパネル１の前方には、フロントウインドウパネル２が後方へ傾斜した状態で配されている。インストルメントパネル１の上面には、空気を吹き出すための開口３が形成され、そこにインストルメントパネル１の内部側から空調ダクト４が接続されている。
【００２０】
この開口３には、８枚のルーバ５ａ〜５ｈが前後方向に並べて配設されている。各ルーバ５ａ〜５ｈは車幅方向に長い構造で、車幅方向両端部の前端に突設された軸ピン６を中心に、全体が下側へ回動して、前後方向での角度が調整自在になっている。また、ルーバ５ａ〜５ｈの車幅方向両端部の後端には、ガイドピン７が突設されている。
【００２１】
ルーバ５ａ〜５ｈのガイドピン７は、リンク８の上部に形成されたガイド孔９ａ〜９ｈ内へ移動自在に係合されている。リンク８は前後に脚部１０を有し、脚部１０の下端にはカムピン１１が突設されている。このリンク８は前後方向にだけ移動できるように支持されている。
【００２２】
リンク８の前後の脚部１０に対して、それぞれ前後一対のカムギア１２が設けられている。カムギア１２は中心にギア部１２ａを有し、側面にはカム溝１３が凹設されている。そして、このカム溝１３内に脚部１０の下端に突設されたカムピン１１が移動自在に係合されている。カム溝１３は、中心から最も遠く且つ後側に位置するようにセットされる全閉位置１３ａと、やや遠く且つやや後側に位置するようにセットされるデフ位置１３ｂを両端に有し、途中に中心から最も近く且つ最も前側に位置するようにセットされる後席用位置１３ｃを有している。
【００２３】
一対のカムギア１２のギア部１２ａは、一つの「手動操作部」としての操作ダイヤル１４の中心に設けられたギア部１４ａに噛み合っている。操作ダイヤル１４の一部はインストルメントパネル１から上方へ露出しており、手動で回転操作できるようになっている。この実施形態では、以上のリンク８、カムギア１２、操作ダイヤル１４により、「操作手段」が構成されている。
【００２４】
リンク８の上部に形成されてガイド孔９ａ〜９ｈは、図４に示すように、基本的に横孔１５ａ〜１５ｈの後端から縦孔１６ａ〜１６ｈを上向きに形成した形状になっている。そして、横孔１５ａ〜１５ｈは前側へ向けて漸次縦孔１６ａ〜１６ｈに近い角度となり、前端のガイド孔９ｈでは、横孔１５ｈの角度が縦孔１６ｈに合致し、ガイド孔９ｈが直線状になっている。横孔１５ａ〜１５ｈが角度が大きくなる分、ガイドピン７の横方向への移動量が小さくなる。従って、前端のガイド孔９ｈでは横方向への移動量は最小（ゼロ）で、後端のガイド孔９ａでは横方向への移動量が最大である。また、縦孔１６ａ〜１６ｈは角度θ（図６参照）だけ前傾しており、ガイド孔９ａ等が前進した際に、ガイドピン７を下降させて、横孔１５ａ等へ導くことができる。
【００２５】
次に、この実施形態の作用を説明する。
【００２６】
全閉モード（図１参照）
操作ダイヤル１４を閉方向へフルに回転させた状態では、リンク８のカムピン１１はカムギア１２のカム溝１３における全閉位置１３ａに係合し、そしてリンク８は最も後側に位置した状態になっている。この状態で、各ルーバ５ａ〜５ｈのガイドピン７は、ガイド孔９ａ〜９ｈの横孔１５ａ〜１５ｈ内に位置し、ルーバ５ａ〜５ｈは全てが水平状態になって開口３を遮蔽している。
【００２７】
後席用モード（図２・図７参照）
次に、操作ダイヤル１４を開方向に回転させると、カムピン１１が後席用位置１３ｃに係合して、リンク８が最も前側位置まで前方に移動する。リンク８が前側へ移動すると、ガイド孔９ａ〜９ｈもルーバ５ａ〜５ｈのガイドピン７に対して相対的に前方移動する。ガイド孔９ａ〜９ｈが前方移動すると、縦孔１６ａ〜１６ｈが角度θだけ前傾状態になっていることから、ガイドピン７は縦孔１６ａ〜１６ｈ内から横孔１５ａ〜１５ｈの後端位置まで押し下げられる。そして、横孔１５ａ〜１５ｈの後端に押された状態で全てのガイドピン７が前方へ同じ量だけ前方へ移動し、ルーバ５ａ〜５ｈが軸ピン６を中心に回転して、全てのルーバ５ａ〜５ｈが斜め後向き平行状態となり、空気を後席側へ吹き出すことができる。
【００２８】
デフモード（図１・図８参照）
操作ダイヤル１４を更に開方向に回転させると、カムピン１１がデフ位置１３ｂに係合して、リンク８が若干後退する。リンク８が後退すると、ガイド孔９ａ〜９ｈもガイドピン７に対して相対的に後退する。ガイド孔９ａ〜９ｈが後退すると、前側のガイド孔９ｈ等では横孔１５ｈ等の角度が大きく、ガイドピン７が横孔１５ｈ等内で移動できる量（遊び量）が少ないため、前側のルーバ５ｈ等ほどガイドピン７が後方へ移動する量が大きく、最も後側のルーバ５ａでは横孔１５ａ内でガイドピン７の後退が完全に吸収されて、後席用モードの場合と角度変化がない。従って、その結果として、ルーバ５ａ〜５ｈが上向き放射状態となり、空気をフロントウインドウパネル２側へ向けて拡散状に吹き出すことができるため、フロントウインドウパネル２の曇りを広い範囲で解消することができる。
【００２９】
この実施形態によれば、インストルメントパネル１の開口３に設けられたルーバ５ａ〜５ｈの角度を変更するだけで、デフモードと後席用モードが得られるため、インストルメントパネル１の上部に従来のノズルのような突起物を設ける必要がなく、インストルメントパネル１上部付近の見映えが向上する。また、１つの操作ダイヤル１４を操作するだけで、後席用モードとデフモードが得られるため、操作性が良い。
【００３０】
図９〜図１１は、この発明の第２実施形態を示す図である。この第２実施形態では、８つのルーバ５ａ〜５ｈを、４つづつ前群５ｅ〜５ｈと後群５ａ〜５ｄに分割し、それぞれを先の実施形態と同じ構造をした操作手段（図示省略）により操作した。この第２実施形態では、全閉状態の他に以下のような効果的な３つの状態を得ることができる。
【００３１】
両モード同時吹出（図９）
前群５ｅ〜５ｈをデフモードにして、後群５ａ〜５ｄを後席用モードにして、デフモードと後席用モードを同時に得た状態を示している。フロントウインドウパネル２に近い前群５ｅ〜５ｈをデフモードにしたため、フロントウインドウパネル２に対して確実に拡散空気を当てることができ、開口３の全通気面積に対して、半分の空気量になるが十分に曇りを晴らすことができる。また、後席に近い後群５ａ〜５ｄを後席用モードにしたため、空気を後席まで届かせやすい。デフモードと後席用モードを前後逆にした同時吹出も構造的に可能だが、互いに打ち消し合うため効果的でない。
【００３２】
デフモード単独吹出（図１０）
前群５ｅ〜５ｈをデフモードにして、後群５ａ〜５ｄを遮蔽した。後群５ａ〜５ｄを遮蔽した分、前群５ｅ〜５ｈからの空気の勢いが増し、デフモードとしての効果が高まる。フロントウインドウパネル２に近い分、前群５ｅ〜５ｈをデフモードにした方が好ましいが、前群５ｅ〜５ｈを遮蔽して、後群５ａ〜５ｄをデフモードにすることも可能である。
【００３３】
後側ボード単独吹出（図１１）
前群５ｅ〜５ｈを遮蔽して、後群５ａ〜５ｄを後席用モードにした。前群５ｅ〜５ｈを遮蔽した分、後群５ａ〜５ｄからの空気の勢いが増し、後席用モードとしての効果が高まる。後席に近い分、後群５ａ〜５ｄを後席用モードにした方が好ましいが、後群５ａ〜５ｄを遮蔽して、前群５ｅ〜５ｈを後席用モードにすることも可能である。
【００３４】
図１２は、この発明の第３実施形態を示す図である。この第３実施形態では、インストルメントパネル１の開口３を通気可能なパンチングメタル製のカバー１７により覆い、その内部に同様のルーバ５ａ〜５ｈを設けた。開口３の内部構造（ルーバ５ａ〜５ｈ）がカバー１７により隠されるため、見映えが向上する。尚、カバー１７は通気可能な材質であれば良く、パンチングメタルに代えて、メッシュ等で形成しても良い。
【００３５】
【発明の効果】
この発明によれば、インストルメントパネルの開口に設けられたルーバの角度を変更するだけで、デフモードと後席用モードが得られるため、インストルメントパネルの上部に従来のノズルのような突起物を設ける必要がなく、インストルメントパネル上部付近の見映えが向上する。
【図面の簡単な説明】
【図１】この発明の第１実施形態に係る風向調整装置の全閉モードを示す断面図。
【図２】風向調整装置の後席用モードを示す断面図。
【図３】風向調整装置のデフモードを示す断面図。
【図４】ルーバ及び操作手段を示す分解図。
【図５】カムギアの回転位置とリンクの前後位置を示す説明図。
【図６】ガイドピンとガイド孔の係合状態を示す説明図。
【図７】ルーバの後席用モードを示す断面図。
【図８】ルーバのデフモードを示す断面図。
【図９】第２実施形態に係る両モード吹出状態を示す断面図。
【図１０】デフモード単独吹出状態を示す断面図。
【図１１】後席用モード単独吹出状態を示す断面図。
【図１２】第３実施形態に係る風向調整装置を示す断面図。
【符号の説明】
１  インストルメントパネル
２  フロントウインドウパネル
３  開口
５ａ〜５ｈ  ルーバ
６  軸ピン
７  ガイドピン
８  リンク（操作手段）
１２  カムギア（操作手段）
１４  操作ダイヤル（手動操作部、操作手段）
１７  カバー
【図１】
0003914079.tif 000002
【図２】
0003914079.tif 000003
【図３】
0003914079.tif 000004
【図４】
0003914079.tif 000005
【図５】
0003914079.tif 000006
【図６】
0003914079.tif 000007
【図７】
0003914079.tif 000008
【図８】
0003914079.tif 000009
【図９】
0003914079.tif 000010
【図１０】
0003914079.tif 000011
【図１１】
0003914079.tif 000012
【図１２】
0003914079.tif 000013